(57)【要約】【課題】  単一のヘッドを有するディスクドライブであっても，その動作に重要なシステム情報を複数位置に記憶して，システム情報を安全に維持する。【解決手段】  ディスク型記録媒体１１０に対して記録再生するための単一ヘッド１１５を備えたディスクドライブ１００において，ディスク型記録媒体を回転させるためのスピンドルモータ１８０と，スピンドルモータ及びヘッドを駆動制御する制御部とを設け，制御部は，ディスクドライブのシステム情報をディスク型記録媒体上の原本位置及びこれと相異なる少なくとも１つ以上のバックアップ位置に記録するようにヘッドを駆動制御する。【選択図】    図１
2004241111.tif 000002
【特許請求の範囲】
【請求項１】
ディスク型記録媒体に対して記録再生するためのヘッドを１つだけ備えたディスクドライブにおいて，
前記ディスク型記録媒体を回転させるためのスピンドルモータと，
前記スピンドルモータ及び前記ヘッドを駆動制御する制御部とを設け，
前記制御部は，前記ディスクドライブのシステム情報を前記ディスク型記録媒体上の原本位置及びこれと相異なる少なくとも１つ以上のバックアップ位置に記録するように前記ヘッドを駆動制御することを特徴とするディスクドライブ。
【請求項２】
前記制御部は，再生動作時，前記原本位置に記録された前記システム情報を再生できない場合に前記バックアップ位置に記録された前記システム情報を再生し，再生された前記システム情報を前記原本位置に復元することを特徴とする請求項１に記載のディスクドライブ。
【請求項３】
前記制御部は，前記原本位置及び前記バックアップ位置を相互に最大限離隔されるように設定して前記システム情報を記録することを特徴とする請求項１又は２に記載のディスクドライブ。
【請求項４】
前記システム情報は，
前記ヘッドのトラック追跡及び探索動作のためのサーボ校正／最適化情報と，
前記ヘッドがデータを再生記録する再生記録チャンネルの最適化情報と，
前記ディスク型記録媒体上に存在する物理的欠陥に対する欠陥情報と，のうち少なくとも１つ以上を含むことを特徴とする請求項１〜３のいずれかに記載のディスクドライブ。
【請求項５】
ディスク型記録媒体に対して記録再生するためのヘッドを１つだけ備え，このヘッドによりディスクドライブのシステム情報を前記ディスク型記録媒体上に記録再生するディスクドライブのシステム情報記録再生方法において，
前記システム情報を準備するシステム情報準備段階と，
前記システム情報を記録するための前記記録用媒体上の原本位置及びこれと相異なる少なくとも１つ以上のバックアップ位置を決定する記録位置決定段階と，
前記システム情報を前記原本位置及び前記バックアップ位置に記録するシステム情報記録段階と，
前記システム情報を再生するシステム情報再生段階と，
を有することを特徴とするディスクドライブのシステム情報記録再生方法。
【請求項６】
前記記録位置決定段階は，
前記原本位置及び前記バックアップ位置は相互に最大限離隔されるように個別的に決定することを特徴とする請求項５に記載のディスクドライブのシステム情報記録再生方法。
【請求項７】
前記システム情報再生段階は，
前記原本位置に記録された前記システム情報を再生する原本位置再生段階と，
前記原本位置に記録された前記システム情報の再生に成功したか否かを判断する原本システム情報判断段階と，
前記原本システム情報判断段階で，システム情報の再生に成功したと判断した場合に，前記バックアップ位置に記録されたシステム情報を再生するバックアップ位置再生段階と，
前記バックアップ位置に記録された前記システム情報の再生に成功したか否かを判断するバックアップシステム情報判断段階と，
前記バックアップシステム情報判断段階で，システム情報の再生が成功しなかったと判断した場合に，エラーの警告を行うエラー警告段階と，
前記バックアップシステム情報判断段階で，システム情報の再生がが成功したと判断した場合に，前記バックアップ位置から再生された前記システム情報を前記原本位置に復元するシステム情報復元段階と，
を有することを特徴とする請求項５又は６に記載のディスクドライブのシステム情報記録再生方法。
【請求項８】
前記システム情報復元段階は，
前記原本位置への前記システム情報の記録が成功したか否かを判断する復元判断段階と，
前記復元判断段階で，前記原本位置への前記システム情報の記録が成功しなかったと判断した場合に，前記原本位置と相異なる新たな記録位置を選択して決定し，その新たな記録位置を前記原本位置として更新する原本位置更新段階と，
更新された前記原本位置に前記システム情報を復元する再復元段階と，
をさらに有することを特徴とする請求項７に記載のディスクドライブのシステム情報記録再生方法。
【請求項９】
前記システム情報は，
前記ヘッドのトラック追跡及び探索動作のためのサーボ校正／最適化情報と，
前記ヘッドがデータを再生記録する再生記録チャンネルの最適化情報と，
前記ディスク型記録媒体上に存在する物理的欠陥に対する欠陥情報と，のうち少なくとも１つ以上を含むことを特徴とする請求項５〜８のいずれかに記載のディスクドライブのシステム情報記録再生方法。
【請求項１０】
１つのヘッドでディスク型記録媒体からデータを記録再生するディスクドライブにおいて，
前記ヘッドを駆動して前記ディスク型記録媒体の複数の領域上に前記ディスクドライブのシステム情報を記録再生する制御部を備えることを特徴とするディスクドライブ。
【請求項１１】
前記ディスク型記録媒体上に記録される前記システム情報は，
前記ヘッドのトラック追跡及び探索動作のためのサーボ校正／最適化情報と，
前記ヘッドがデータを再生記録する再生記録チャンネルの最適化情報と，
前記ディスク型記録媒体上に存在する物理的欠陥に対する欠陥情報と，のうち少なくとも１つ以上を含むことを特徴とする請求項１０に記載のディスクドライブ。
【請求項１２】
前記ヘッドは，
前記ディスクドライブの前記各システム情報を前記ディスク型記録媒体の複数の領域にそれぞれ記録することを特徴とする請求項１１に記載のディスクドライブ。
【請求項１３】
前記ディスク型記録媒体の前記複数の領域は，
システム情報それぞれの原本を記録するための原本位置と，
システム情報それぞれのバックアップを保存するためのバックアップ位置と，
を有することを特徴とする請求項１２に記載のディスクドライブ。
【請求項１４】
前記システム情報の原本は，
前記ディスク型記録媒体の特定領域の欠陥が前記原本位置と前記バックアップ記録位置との両方に拡張することを防止するために前記バックアップ位置から可能なかぎり離隔して記録することを特徴とする請求項１３に記載のディスクドライブ。
【請求項１５】
単一のヘッドによりディスクドライブのシステム情報をディスク型記録媒体に記録し，記録されたシステム情報を再生するディスクドライブのシステム情報記録再生方法において，
前記システム情報を記録する第１及び第２記録位置を前記ディスク型記録媒体上に決定する段階と，
前記システム情報を決定された前記第１及び第２記録位置に記録する段階と，
を有することを特徴とするディスクドライブのシステム情報記録再生方法。
【請求項１６】
前記ディスク型記録媒体の前記第１及び第２記録位置を決定する段階は，
前記ディスク型記録媒体上の特定領域の欠陥が前記第１記録位置と前記第２記録位置ともに拡張することを防止するために前記第１及び第２記録位置を可能なかぎり相互に離隔されるように配置する段階をさらに含むことを特徴とする請求項１５に記載のディスクドライブのシステム情報記録再生方法。
【請求項１７】
前記システム情報は，
前記ヘッドのトラック追跡及び探索動作のためのサーボ校正／最適化情報と，
前記ヘッドがデータを再生記録する再生記録チャンネルの最適化情報と，
前記ディスク型記録媒体上に存在する物理的欠陥に対する欠陥情報と，のうち少なくとも１つ以上を含むことを特徴とする請求項１５又は１６に記載のディスクドライブのシステム情報記録再生方法。
【請求項１８】
さらに，前記システム情報を前記ディスク型記録媒体から再生する段階を有し，この再生する段階はさらに，
前記ディスク型記録媒体の前記第１記録位置に記録された前記システム情報を再生する段階と，
前記ディスク型記録媒体の前記第１記録位置に記録された前記システム情報の再生に成功したか否かを判断する段階と，
前記ディスク型記録媒体の前記第１記録位置に記録された前記システム情報の再生に成功したと判断した場合に，前記システム情報を前記ディスクドライブのメモリに保存する段階と，
前記ディスク型記録媒体の前記第１記録位置に記録された前記システム情報の再生に成功しなかったと判断した場合に，前記システム情報を前記ディスクドライブの前記第２記録位置から再生する段階と，
前記ディスク型記録媒体の前記第２記録位置に記録された前記システム情報の再生に成功したか否かを判断する段階と，
を有することを特徴とする請求項１７に記載のディスクドライブのシステム情報記録再生方法。
【請求項１９】
前記ディスク型記録媒体の前記第１記録位置に記録された前記システム情報の再生が成功したか否かを判断する段階は，
再生されたシステム情報のパリティ値を生成し，生成されたパリティ値を予め保存されたパリティ値と比較する段階を含むことを特徴とする請求項１８に記載のディスクドライブのシステム情報記録再生方法。
【請求項２０】
前記ディスク型記録媒体の前記第１記録位置に記録された前記システム情報の再生が成功したか否かを判断する段階は，
前記ディスク型記録媒体の前記第１記録位置から前記システム情報を再生する過程で取得されたビットエラーが所定値を超えるか否かを検査する段階を含むことを特徴とする請求項１８に記載のディスクドライブのシステム情報記録再生方法。
【請求項２１】
前記ディスク型記録媒体の前記第２記録位置に記録された前記システム情報の再生が成功したか否かを判断する段階は，
再生されたシステム情報のパリティ値を生成し，生成されたパリティ値を予め保存されたパリティ値と比較する段階を含むことを特徴とする請求項１８に記載のディスクドライブのシステム情報記録再生方法。
【請求項２２】
前記ディスク型記録媒体の前記第２記録位置に記録された前記システム情報の再生が成功したか否かを決定する段階は，
前記ディスク型記録媒体の前記第２記録位置から前記システム情報を再生する過程で獲得されたビットエラーが所定値を超えるか否かを検査する段階を含むことを特徴とする請求項１８に記載のディスクドライブのシステム情報記録再生方法。
【請求項２３】
さらに，前記ディスク型記録媒体の前記第２記録位置に記録された前記システム情報の再生が成功したと判断した場合に，前記ディスク型記録媒体の前記第１記録位置に前記システム情報を復元する段階を含むことを特徴とする請求項１８に記載のディスクドライブのシステム情報記録再生方法。
【請求項２４】
さらに，前記第２記録位置から再生された前記システム情報が前記第１記録位置に復元できない場合に，前記ディスク型記録媒体の前記第１記録位置が物理的に欠陥を有していると決定する段階をさらに含むことを特徴とする請求項２３に記載のディスクドライブのシステム情報記録再生方法。
【請求項２５】
さらに，前記ディスク型記録媒体上の新しい記録位置を選択する段階と，
前記第２記録位置から再生された前記システム情報を前記新しい記録位置に復元する段階と，をさらに含むことを特徴とする請求項２４に記載のディスクドライブのシステム情報記録再生方法。
【請求項２６】
前記ディスク型記録媒体の前記第２記録位置に記録された前記システム情報の再生が成功しなかったと判断した場合に，ユーザに前記ディスク型記録媒体上にエラーが発生したことを警告する段階をさらに含むことを特徴とする請求項１８〜２５のいずれかに記載のディスクドライブのシステム情報記録再生方法。
【請求項２７】
前記ディスク型記録媒体上の前記第１及び第２記録位置はそれぞれ，
原本位置及びバックアップ位置を含むことを特徴とする請求項１８〜２６のいずれかに記載のディスクドライブのシステム情報記録再生方法。
【発明の詳細な説明】
【技術分野】
【０００１】
本発明はディスクドライブ及びそのシステム情報記録再生方法に係り，特に単一のヘッドを有するディスクドライブ及びそのシステム情報記録再生方法に関する。
【背景技術】
【０００２】
ディスクドライブにデータを記憶する際には，一般データの他にディスクドライブの動作などに必要な例えば記録再生チャンネル，サーボなどに関する主要情報が保存される。このような主要情報は，一般データが記録される領域とは相異なる領域に保存される。その理由は，一般データのうち一部分が失われても他のデータの記録及び再生に大きい支障がないが，主要情報のうち例えばディスクドライブの動作に必須的である重要なシステム情報は，そのうち一部だけが失われても，ディスクドライブ全体の動作が不能となる虞があるためである。したがって，ディスクドライブのシステム情報については，一般データが記録される領域より安全な記録領域が割当てられる。これにより，ディスクドライブの電源がオンとなる度に，安全な記録領域に保存されたシステム情報が再生されることにより，ディスクドライブを正常に動作させることができる。
【０００３】
ディスクドライブの動作に関連する重要なシステム情報の中には，例えばヘッドのトラック追跡及び探索動作のためのサーボ校正／最適化情報，ヘッドがデータを記録する再生及び記録チャンネルの最適化情報，ディスク型記録媒体上に存在する物理的欠陥に対する欠陥情報が含まれる。例えばサーボ校正／最適化情報が失われれば，正常的なトラック追跡及び探索動作が行われないので，ディスクドライブが誤動作を引き起こす虞があり，また，データを探索するための時間が延長される問題が発生する虞もある。また，再生及び記録チャンネル最適化情報が失われれば，当該ディスクドライブのハードウェア状態による記録／再生環境に相応しないチャンネル値を利用して記録及び再生過程が行われる。このため，ディスクドライブの性能及び安定性に致命的な問題点が発生する虞がある。また，ディスク型記録媒体上の物理的欠陥に対する欠陥情報が失われれば，エラーが発生した領域に重要なデータが記録されて，結局再生不能になる虞がある。従って，このようなシステム情報は，ディスクドライブの動作に必須不可欠な要素である。
【０００４】
従来，ディスクドライブの中には，複数の記録用媒体を利用してデータを記録するものがある。これによれば，複数の媒体それぞれの面に対応する複数のヘッドが提供される。これにより，システム情報の安定性を確保するために，複数の記録用媒体それぞれにシステム情報を保存する方法が適用される。このような方法によれば，物理的衝撃によって複数の記録用媒体のうち何れか１つに欠陥が生じて，記録されたシステム情報を再生できない事故が発生しても，他の記録用媒体上で同じシステム情報を再生しうるので，システム情報を安定的に維持することができる。
【０００５】
ところが，最近のディスクドライブでは複数のヘッドの代りに単一ヘッドを利用する場合が多い。その理由は，記録用媒体の記録密度が増加することによって従来技術で複数の記録用媒体を使用するものと同じ記録容量を単一記録用媒体から得られ，複数のヘッドを使用することにより生産コストが節減されることはもとより，ディスクドライブのサイズを軽量化，小型化することができるからである。
【０００６】
【特許文献１】大韓民国出願公開２００１−５４３７９号明細書
【発明の開示】
【発明が解決しようとする課題】
【０００７】
しかしながら，このような単一ヘッドディスクドライブでは，従来の複数のヘッドを利用するディスクドライブとは異なり，システム情報をバックアップできる方法がない。このため，単一ヘッドディスクドライブは，保存されたシステム情報が外部衝撃によって失われた場合，ディスクドライブ全体の動作が不能になる虞がある点で不利がある。
【０００８】
したがって，単一ヘッドを利用したディスクドライブでも，複数のヘッドを利用したディスクドライブのように，ディスクドライブの動作に重要なシステム情報をバックアップできる方法が所望されている。
【０００９】
そこで，本発明は，このような問題に鑑みてなされたもので，その目的とするところは，単一ヘッドディスクドライブであっても，例えばディスクドライブの動作に重要なシステム情報をバックアップできるディスクドライブ及びそのシステム情報記録再生方法を提供することにある。
【課題を解決するための手段】
【００１０】
上記課題を解決するために，本発明のある観点によれば，  ディスク型記録媒体に対して記録再生するためのヘッドを１つだけ備えたディスクドライブにおいて，前記ディスク型記録媒体を回転させるためのスピンドルモータと，前記スピンドルモータ及び前記ヘッドを駆動制御する制御部とを設け，前記制御部は，前記ディスクドライブのシステム情報を前記ディスク型記録媒体上の原本位置及びこれと相異なる少なくとも１つ以上のバックアップ位置に記録するように前記ヘッドを駆動制御することを特徴とするディスクドライブが提供される。
【００１１】
上記制御部は，再生動作時，前記原本位置に記録された前記システム情報を再生できない場合に前記バックアップ位置に記録された前記システム情報を再生し，再生された前記システム情報を前記原本位置に復元するようにしてもよい。また上記制御部は，前記原本位置及び前記バックアップ位置を相互に最大限離隔されるように設定して前記システム情報を記録するようにしてもよい。なお，上記制御部は例えばファームウェアによって制御されるマイクロコントローラやマイクロプロセッサユニットによって構成されるようにしてもよい。
【００１２】
なお，上記システム情報は，例えば前記ヘッドのトラック追跡及び探索動作のためのサーボ校正／最適化情報と，前記ヘッドがデータを再生記録する再生記録チャンネルの最適化情報と，前記ディスク型記録媒体上に存在する物理的欠陥に対する欠陥情報と，のうち少なくとも１つ以上を含む。
【００１３】
上記課題を解決するために，本発明の別の観点によれば，ディスク型記録媒体に対して記録再生するためのヘッドを１つだけ備え，このヘッドによりディスクドライブのシステム情報を前記ディスク型記録媒体上に記録再生するディスクドライブのシステム情報記録再生方法において，前記システム情報を準備するシステム情報準備段階と，前記システム情報を記録するための前記記録用媒体上の原本位置及びこれと相異なる少なくとも１つ以上のバックアップ位置を決定する記録位置決定段階と，前記システム情報を前記原本位置及び前記バックアップ位置に記録するシステム情報記録段階と，前記システム情報を再生するシステム情報再生段階とを有することを特徴とするディスクドライブのシステム情報記録再生方法が提供される。これらのうち，上記記録位置決定段階は，前記原本位置及び前記バックアップ位置は相互に最大限離隔されるように個別的に決定するようにしてもよい。
【００１４】
また，上記システム情報再生段階は，前記原本位置に記録された前記システム情報を再生する原本位置再生段階と，前記原本位置に記録された前記システム情報の再生に成功したか否かを判断する原本システム情報判断段階と，前記原本システム情報判断段階で，システム情報の再生に成功したと判断した場合に，前記バックアップ位置に記録されたシステム情報を再生するバックアップ位置再生段階と，前記バックアップ位置に記録された前記システム情報の再生に成功したか否かを判断するバックアップシステム情報判断段階と，
前記バックアップシステム情報判断段階で，システム情報の再生が成功しなかったと判断した場合に，エラーの警告を行うエラー警告段階と，前記バックアップシステム情報判断段階で，システム情報の再生がが成功したと判断した場合に，前記バックアップ位置から再生された前記システム情報を前記原本位置に復元するシステム情報復元段階とを有するようにしてもよい。
【００１５】
また，上記システム情報復元段階は，前記原本位置への前記システム情報の記録が成功したか否かを判断する復元判断段階と，前記復元判断段階で，前記原本位置への前記システム情報の記録が成功しなかったと判断した場合に，前記原本位置と相異なる新たな記録位置を選択して決定し，その新たな記録位置を前記原本位置として更新する原本位置更新段階と，更新された前記原本位置に前記システム情報を復元する再復元段階とをさらに有するようにしてもよい。
【００１６】
上記課題を解決するために，本発明の別の観点によれば，１つのヘッドでディスク型記録媒体からデータを記録再生するディスクドライブにおいて，前記ヘッドを駆動して前記ディスク型記録媒体の複数の領域上に前記ディスクドライブのシステム情報を記録再生する制御部を備えることを特徴とするディスクドライブが提供される。
【００１７】
また，上記ディスク型記録媒体上に記録される前記システム情報は，前記ヘッドのトラック追跡及び探索動作のためのサーボ校正／最適化情報と，前記ヘッドがデータを再生記録する再生記録チャンネルの最適化情報と，前記ディスク型記録媒体上に存在する物理的欠陥に対する欠陥情報と，のうち少なくとも１つ以上を含むようにしてもよい。この場合，上記ヘッドは，前記ディスクドライブの前記システム情報を前記ディスク型記録媒体の複数の領域にそれぞれ記録するようにしてもよい。
【００１８】
また，上記ディスク型記録媒体の前記複数の領域は，システム情報それぞれの原本を記録するための原本位置と，システム情報それぞれのバックアップを保存するためのバックアップ位置とを含むことが好ましい。この場合，上記システム情報の原本は，前記ディスク型記録媒体の特定領域の欠陥が前記原本位置と前記バックアップ記録位置との両方に拡張することを防止するために前記バックアップ位置から可能なかぎり離隔して記録することが好ましい。
【００１９】
上記課題を解決するために，本発明の別の観点によれば，単一のヘッドによりディスクドライブのシステム情報をディスク型記録媒体に記録し，記録されたシステム情報を再生するディスクドライブのシステム情報記録再生方法において，前記システム情報を記録する第１及び第２記録位置を前記ディスク型記録媒体上に決定する段階と，前記システム情報を決定された前記第１及び第２記録位置に記録する段階とを含むことを特徴とするディスクドライブのシステム情報記録再生方法が提供される。
【００２０】
また，上記ディスク型記録媒体の前記第１及び第２記録位置を決定する段階は，前記ディスク型記録媒体上の特定領域の欠陥が前記第１記録位置と前記第２記録位置ともに拡張することを防止するために前記第１及び第２記録位置を可能なかぎり相互に離隔されるように配置する段階をさらに含むようにしてもよい。
【００２１】
なお，上記システム情報としては，例えば前記ヘッドのトラック追跡及び探索動作のためのサーボ校正／最適化情報と，前記ヘッドがデータを再生記録する再生記録チャンネルの最適化情報と，前記ディスク型記録媒体上に存在する物理的欠陥に対する欠陥情報と，のうち少なくとも１つ以上を含むようにしてもよい。
【００２２】
また，上記システム情報を前記ディスク型記録媒体から再生する段階は，前記ディスク型記録媒体の前記第１記録位置に記録された前記システム情報を再生する段階と，前記ディスク型記録媒体の前記第１記録位置に記録された前記システム情報の再生に成功したか否かを判断する段階と，前記ディスク型記録媒体の前記第１記録位置に記録された前記システム情報の再生に成功したと判断した場合に，前記システム情報を前記ディスクドライブのメモリに保存する段階と，前記ディスク型記録媒体の前記第１記録位置に記録された前記システム情報の再生に成功しなかったと判断した場合に，前記システム情報を前記ディスクドライブの前記第２記録位置から再生する段階と，前記ディスク型記録媒体の前記第２記録位置に記録された前記システム情報の再生に成功したか否かを判断する段階とを含むことを特徴とする請求項１７に記載のディスクドライブのシステム情報記録再生方法が提供される。
【００２３】
また，上記ディスク型記録媒体の前記第１記録位置に記録された前記システム情報の再生が成功したか否かを判断する段階は，再生されたシステム情報のパリティ値を生成し，生成されたパリティ値を予め保存されたパリティ値と比較する段階を含むようにしてもよい。
【００２４】
また，上記ディスク型記録媒体の前記第１記録位置に記録された前記システム情報の再生が成功したか否かを判断する段階は，前記ディスク型記録媒体の前記第１記録位置から前記システム情報を再生する過程で取得されたビットエラーが所定値を超えるか否かを検査する段階を含むようにしてもよい。
【００２５】
また，上記ディスク型記録媒体の前記第２記録位置に記録された前記システム情報の再生が成功したか否かを判断する段階は，再生されたシステム情報のパリティ値を生成し，生成されたパリティ値を予め保存されたパリティ値と比較する段階を含むようにしてもよく，また上記ディスク型記録媒体の前記第２記録位置から前記システム情報を再生する過程で獲得されたビットエラーが所定値を超えるか否かを検査する段階を含むようにしてもよい。
【００２６】
また，上記ディスク型記録媒体の前記第２記録位置に記録された前記システム情報の再生が成功したと判断した場合に，前記ディスク型記録媒体の前記第１記録位置に前記システム情報を復元する段階を含むようにしてもよい。このとき，上記第２記録位置から再生された前記システム情報が前記第１記録位置に復元できない場合に，前記ディスク型記録媒体の前記第１記録位置が物理的に欠陥を有していると決定する段階をさらに含むようにしてもよい。さらに，上記ディスク型記録媒体上の新しい記録位置を選択する段階と，前記第２記録位置から再生された前記システム情報を前記新しい記録位置に復元する段階と，をさらに含むようにしてもよい。
【００２７】
また，上記ディスク型記録媒体の前記第２記録位置に記録された前記システム情報の再生が成功しなかったと判断した場合に，ユーザに前記ディスク型記録媒体上にエラーが発生したことを警告する段階をさらに含むようにしてもよい。上記ディスク型記録媒体上の前記第１及び第２記録位置はそれぞれ，例えば原本位置及びバックアップ位置を含む。
【００２８】
なお，本明細書において記録再生というときは，記録及び／または再生を意味し，再生記録というときは，再生及び／または記録を意味する。
【発明の効果】
【００２９】
発明によれば，単一のヘッドを有するディスクドライブであっても，その動作に重要なシステム情報を複数位置に記憶することができるので，システム情報を安全に維持することができる。
【発明を実施するための最良の形態】
【００３０】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００３１】
図１は，本発明の実施形態にかかる単一ヘッドディスクドライブの概略構成を示すブロック図である。ここで，単一ヘッドディスクドライブとは，ヘッドが１つだけ設けられたディスクドライブである。図１に示すように，本実施形態にかかるディスクドライブ１００は，データ及びシステム情報が記録される単一ディスク型記録媒体１１０，データを記録及び再生するための単一ヘッド１１５，単一ヘッド１１５からの信号を増幅するためのプリアンプ１２０，プリアンプ１２０からの信号を処理するための再生／記録チャンネル回路１３０，ディスクデータ制御部１９０，ディスク制御部１５０，回転式ボイスコイルモータ（ＶＣＭ：Ｖｏｉｃｅ  Ｃｏｉｌ Ｍｏｔｏｒ）１６５，ＶＣＭ駆動部１６０，不揮発性メモリ１５２，スピンドルモータ駆動部１７０，スピンドルモータ１８０を備える。  また，ディスクドライブ１００は，ディスク制御部１５０に入出力される信号をアナログ及びデジタル信号に変換するアナログ／デジタル変換器１４５，デジタル／アナログ変換器１５５を備える。
【００３２】
ここで，ディスクドライブ１００の一般的な動作を図１を参照しながら説明する。ディスク型記録媒体１１０は，スピンドルモータ１８０によって回転される。ディスク型記録媒体１１０は，複数の同心円のトラックを有する。またディスク型記録媒体１１０は，ディスクドライブを使用しない場合に単一ヘッド１１５を位置させるパーキング領域，データが記録されるデータ領域を有する。
【００３３】
単一ヘッド１１５は，回転式ＶＣＭ１６５によってディスク型記録媒体１１０上で水平移動しつつデータをディスク型記録媒体１１０に記録及び再生する。データ再生時，単一ヘッド１１５によって再生されたデータは，プリアンプ１２０によって増幅されて再生／記録チャンネル回路１３０に伝達される。また，データ記録時には，再生／記録チャンネル回路１３０から伝えられた符号化されたデータが単一ヘッド１１５によってディスク型記録媒体１１０上に記録される。記録再生されるデータは，ディスクデータ制御部１９０によってディスクドライブ１００を接続する外部機器例えばホストコンピュータから送受信される。
【００３４】
再生／記録チャンネル回路１３０は，ディスク型記録媒体１１０に保存されたシステム情報の一部であるサーボ情報を復調して位置エラー信号（ＰＥＳ：Ｐｏｓｉｔｉｏｎ
Ｅｒｒｏｒ Ｓｉｇｎａｌ）を発生させる。これにより，発生したＰＥＳは，アナログ／デジタル変換器１４５を経てディスク制御部１５０に印加される。
【００３５】
ディスク制御部１５０は，アナログ／デジタル変換器１４５から入力されるＰＥＳを利用して単一ヘッド１１５のトラック追跡及びトラック探索を制御する。さらに，ディスク制御部１５０は，ゲートアレイ（図示せず）から入力される多様なサーボ関連信号に対応してサーボ制御を行う。
【００３６】
デジタル／アナログ変換器１５５は，ディスク制御部１５０から印加される単一ヘッド１１５の位置制御のための命令をアナログ信号に変換してＶＣＭ駆動部１６０に供給し，ＶＣＭ駆動部１６０は，これに応じてＶＣＭ１６５を駆動する。スピンドルモータ駆動部１７０は，ディスク制御部１５０の制御下にスピンドルモータ１８０を駆動してディスク型記録媒体１１０を回転させる。
【００３７】
ディスク制御部１５０に連結された不揮発性メモリ１５２は，ディスク型記録媒体１１０から再生されたディスクドライブ１００の駆動のための応用プログラム及びディスクドライブ１００のシステム情報１１１を保存する。
【００３８】
次に，本実施形態にかかる単一ヘッドディスクドライブ１００のシステム情報１１１を記録及び／または再生する方法を説明する。まず，ディスク制御部１５０は，ディスクドライブ１００の動作に必要なシステム情報を生成する。ここで，システム情報１１１には，例えば単一ヘッド１１５のトラック追跡及び探索動作のためのサーボ校正／最適化情報，単一ヘッド１１５のデータ再生及び／または記録チャンネルの最適化情報，ディスク型記録媒体１１０上の欠陥に対する欠陥情報が含まれる。
【００３９】
ディスク型記録媒体１１０上には，数千のデータトラックが存在するので，接近しようとする位置に単一ヘッド１１５を移動させる機能及び記録／再生機能が完了するまで単一ヘッド１１５を目標トラック上に維持させることが非常に重要である。したがって，ディスク型記録媒体１１０上にサーボ情報を記録する。
【００４０】
このようなサーボ情報には，例えばサーボＰＬＬ（Ｐｈａｓｅ Ｌｏｃｋｅｄ  Ｌｏｏｐ），サーボアドレスマーク，グレーコード，上述したＰＥＳを発生させるためのサーボバーストが含まれる。このうち，グレーコード及びサーボバーストは，単一ヘッド１１５の直径方向運動を制御するために必要な情報である。さらに詳細には，グレーコードは，ディスクのトラック当り一つずつ付与される番号であって，トラックの位置を表す。サーボバーストは，トラック内での精密な位置を制御するために使われる信号である。このようなサーボ情報をディスクドライブ１００の特性に適するように最適化し，校正することは，単一ヘッドのトラック追跡及び検索動作のために必要なことである。
【００４１】
ここで，再生及び記録チャンネルの最適化情報について説明する。ディスクドライブは，幾つかの装置が組立てられて製造されるが，多様な装置のハードウェア的特性が異なるため，このような特性を補償できる因子が必要である。特に，ディスクドライブのヘッド，ディスク型媒体及びスピンドルモータの工程のばらつきは，補正されなければならない。したがって，各装置の固有性質を補正するためにバーンイン工程で再生チャンネル因子を最適化するが，この過程で多様なチャンネル因子を代入した場合のディスクドライブの性能変化，ビットエラー率の変化を検討して最適のチャンネル因子を設定する。チャンネル最適化段階で遮断周波数，記録電流値，再生電流値，信号干渉予測，記録前置補正のような多様な値が最適化される。このような情報は，それぞれのディスクドライブのハードウェア特性に適するように最適化されるので，再生及び記録チャンネルの最適化情報は，当該ディスクドライブを駆動させるために非常に重要な情報である。
【００４２】
ディスク型記録媒体１１０の物理的欠陥情報は，欠陥のある部分にデータを記録しなくするために使われる。すなわち，ディスク制御部１５０は，物理的欠陥情報を再生して，欠陥が存在する記録領域にはデータを記録しないことによって，将来再生が不能になる場合を防止する。本明細書では，上述のようなサーボ校正／最適化情報，再生及び記録チャンネルの最適化情報，欠陥情報を含むハードウェア特性情報をシステム情報と称する。
【００４３】
本実施形態にかかるディスクドライブ１００は，上述のようなシステム情報をディスク型記録媒体１１０上に原本位置１ヵ所にだけ保存することではなく，バックアップ位置を決定してバックアップ位置にも記録する。それにより，物理的欠陥によって原本位置でシステム情報１１１を再生できない場合に，バックアップ位置からシステム情報１１１を再生する。このように，システム情報１１１を原本位置及びバックアップ位置に記録することによって，単一ヘッドディスクドライブのシステム情報を安全に管理できる長所がある。さらに，バックアップ位置で再生されたシステム情報１１１を原本位置に再復元するようにしてもよい。このような本発明によれば，単一ヘッド１１５を利用したディスクドライブ１００でもシステム情報１１１を安全に管理できる。
【００４４】
システム情報１１１が記録される原本位置及びバックアップ位置は，最大限相互離隔されることが望ましい。その理由は，原本位置及びバックアップ位置のうち何れか一つに物理的欠陥が発生した時，物理的欠陥は周辺に広げられる傾向を有しているので，このような欠陥の拡散から可能なかぎり安全にシステム情報１１１を記録するためである。したがって，図１のディスク型記録媒体１１０に示すように，システム情報１１１は，ディスク型記録媒体１１０の中心から約１８０°の角度に離隔されて記録されることが望ましい。
【００４５】
次に，本実施形態にかかる単一ヘッドディスクドライブのシステム情報記録再生方法におけるシステム情報記録方法の具体例を図２を参照しながら説明する。図２は，本実施形態におけるシステム情報記録方法の具体例を示すフローチャートである。
【００４６】
まず，ステップＳ２１０にてディスク型記録媒体に記録するシステム情報を準備する。上述したように，準備されるシステム情報は，サーボ校正／最適化情報，チャンネル最適化情報及び物理的欠陥情報を含むことが望ましい。サーボ校正最適化及びチャンネル最適化のための方法は公知の方法を適用できるため，ここでは詳細な説明を省略する。すなわち，公知の技術によるいかなるサーボ校正／最適化方法及びチャンネル最適化方法でもシステム情報準備段階（Ｓ２１０）のために使用できる。
【００４７】
続いて，ステップＳ２２０にてシステム情報準備段階（Ｓ２１０）によって準備されたシステム情報を記録するための原本位置及びバックアップ位置を決定する。この場合，物理的欠陥からシステム情報を安全に保護するためには，上述したように，原本位置及びバックアップ位置は，相互に約１８０°離隔されるように決定することが望ましい。
【００４８】
次いで，ステップＳ２３０にてシステム情報準備段階（Ｓ２１０）によって準備されたシステム情報をステップＳ２２０によって決定された原本位置及びバックアップ位置に保存する。なお，本発明では，システム情報が必ずしも原本位置及びバックアップ位置の２ヵ所にだけ保存される場合に限定されるものではなく，原本位置以外の複数の位置にシステム情報を保存するようにしてもよい。システム情報を保存する位置が多いほどシステム情報を安全に管理できる。但し，システム情報を多く保存するほどデータを保存する領域が減少する。したがって，重要なシステム情報であるほど数ヵ所の位置に保存するようにしてもよい。
【００４９】
次に，本実施形態にかかる単一ヘッドディスクドライブのシステム情報記録再生方法におけるシステム情報再生方法の具体例を図３を参照しながら説明する。図３は，システム情報再生方法の他の具体例を示すフローチャートである。ディスクドライブの最初の動作時に，ステップＳ３１０にてディスクドライブのシステム情報が記録された原本位置を探索し，取得する。次いで，ステップＳ３２０にて取得された原本位置でシステム情報を再生する。
【００５０】
次にステップＳ３３０にてシステム情報再生段階（Ｓ３２０）で再生されたシステム情報の再生に成功したか否かを判断する。ここで，システム情報の再生に成功したか否かは，例えば再生されたシステム情報のパリティを生成して既保存されたパリティと比較する方法または再生過程でのビットエラー率が所定値以上であるか否かを比較して行う。
【００５１】
ステップＳ３３０にて再生に成功したと判断した場合は，再生されたシステム情報が有効であると判断し，再生過程を終了する。この場合，再生されたシステム情報は，ディスクドライブ内の不揮発性メモリに保存され，上述したように，ディスクドライブの駆動に使用される。
【００５２】
またステップＳ３３０にて再生に成功しなかったと判断した場合は，ステップＳ３４０にてシステム情報が保存されたバックアップ位置を探索し，取得する。そして，ステップＳ３５０にてステップＳ３４０で取得されたバックアップ位置からシステム情報を再生する。次いで，ステップＳ３６０にてバックアップ位置で再生されたシステム情報の再生が成功したか否かを判断する。ここでシステム情報の再生に成功したか否かは，ステップＳ３３０の場合と同様に，例えば再生されたシステム情報のパリティを比較する方法または再生過程でのビットエラー率が所定値以上であるか否かを判断して行われる。
【００５３】
ステップＳ３５０にてバックアップ位置からのシステム情報の再生に成功しなかったと判断した場合は，ステップＳ３７０にてディスクドライブに致命的なエラーが発生したことをユーザに告知する。ユーザへの告知は，例えばＬＥＤなどのランプを点灯したり，ブザーを鳴らしたりするようにしてもよい。
【００５４】
また，バックアップ位置からのシステム情報の再生が成功したと判断した場合は，ステップＳ３８０にて再生されたシステム情報を原本位置に復元する。バックアップ位置で再生されたシステム情報を原本位置に復元することによって，原本位置（例えば第１の記録位置）及びこれと相異なる少なくとも１つ以上のバックアップ位置（例えば第２の記録位置）とを含む少なくとも２以上の位置にシステム情報を記録するので，システム情報を安全に管理できる。もし，原本位置にシステム情報を復元できない場合には，ディスク型記録媒体上の原本位置に物理的欠陥があると判断し，その原本位置とは相異なる他の記録位置を選択して決定し，その新たな記録位置を新たな原本位置として更新し（原本位置更新段階），システム情報を復元するようにしてもよい（再復元段階）。
【００５５】
ここで，上述したような本発明の方法によって記録されたシステム情報の記録位置の具体例を図４を参照しながら説明する。図４Ａ及び４Ｂは，本発明にかかる方法よって記録されたシステム情報の記録位置の具体例を示す図である。
【００５６】
図４Ａは，サーボ校正／最適化情報（ＳＥＲＶＯ），再生及び記録チャンネルの最適化情報（ＣＨＡＮＮＥＬ），ディスク型記録媒体の物理的欠陥に対する欠陥情報（ＤＥＦＥＣＴ）を一度に記録し，その全部をディスク型記録媒体の反対側に記録した場合を示す。したがって，図４Ａに示されたシステム情報は，多様な情報が連続的に記録されたものであるので，記録及び再生が容易であるが，物理的欠陥が発生する場合に色々なシステム情報が一気に失われる虞がある。
【００５７】
一方，図４Ｂは，システム情報を構成するサーボ校正／最適化情報ＳＥＲＶＯ，再生及び記録チャンネルの最適化情報ＣＨＡＮＮＥＬ及び欠陥情報ＤＥＦＥＣＴ各々を最大限相互離隔されるように記録した場合を示す。これによれば，記録及び再生過程が多少複雑となるものの，物理的欠陥が発生する場合に色々なシステム情報が共に失われる可能性が少ない。このように，システム情報の原本をバックアップ位置から可能なかぎり離隔して記録することにより，ディスク型記録媒体の特定領域の欠陥が原本位置とバックアップ記録位置の両方に拡張することを防止することができる。
【００５８】
このように，本発明によれば，例えばディスクドライブの電源がオンとなる度に，複数の記録領域に保存されたシステム情報が再生されてディスクドライブを定常的に動作させるので，システム情報を安全に維持することができる。
【００５９】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【産業上の利用可能性】
【００６０】
本発明は，例えばハードディスクドライブ，光ディスクドライブなどのディスクドライブ及びそのシステム情報記録再生方法に適用可能である。
【図面の簡単な説明】
【００６１】
【図１】本発明の実施形態にかかるディスクドライブの概略構成を示すブロック図である。
【図２】本実施形態にかかるシステム情報記録再生方法のうちシステム情報記録方法の具体例を示すフローチャートである。
【図３】本実施形態にかかるシステム情報記録再生方法のうちシステム情報再生方法の具体例を示すフローチャートである。
【図４Ａ】本発明にかかる方法によって記録されたシステム情報の記録位置の具体例示す図である。
【図４Ｂ】本発明にかかる方法によって記録されたシステム情報の記録位置の他の具体例を示す図である。
【符号の説明】
【００６２】
１００      ディスクドライブ
１１０      ディスク型記録媒体
１１１      システム情報
１１５      単一ヘッド
１２０      プリアンプ
１３０      再生／記録チャンネル回路
１４５      アナログ／デジタル変換器
１５０      ディスク制御部
１５２      不揮発性メモリ
１５５      デジタル／アナログ変換器
１６０      ＶＣＭ駆動部
１６５      回転式ＶＣＭ
１７０      スピンドルモータ駆動部
１８０      スピンドルモータ
１９０      ディスクデータ制御部
【図１】
2004241111.tif 000003
【図２】
2004241111.tif 000004
【図３】
2004241111.tif 000005
【図４Ａ】
2004241111.tif 000006
【図４Ｂ】
2004241111.tif 000007